(57)【特許請求の範囲】
【請求項１】
給気口と排気口が夫々設けられた加熱庫と、
上記加熱庫内にマイクロ波を供給するマイクロ波発生装置と、
上記加熱庫内の上記マイクロ波発生装置を含む電装品を冷却する冷却ファンと、
上記冷却ファンからの空気の一部を上記加熱庫内に上記給気口を介して供給するための給気通路と、
上記給気口を開閉するための給気ダンパと、
上記加熱庫内の気体を上記排気口を介して外部に排出するための排気通路と、
上記排気通路内に配置され、上記排気口から排出される気体の湿度を検出する湿度センサと、
上記マイクロ波発生装置からのマイクロ波を上記加熱庫内に供給して上記加熱庫内の被加熱物を加熱するとき、上記湿度センサにより検出された上記排気口から排出される気体の湿度に基づいて、上記マイクロ波発生装置を制御するマイクロ波制御部と、
上記マイクロ波発生装置からのマイクロ波を上記加熱庫内に供給して上記加熱庫内の被加熱物を加熱するとき、上記被加熱物の量に基づいて上記給気ダンパの開度を制御する給気ダンパ開度制御部と
を備え、
上記給気ダンパ開度制御部は、
上記マイクロ波発生装置からのマイクロ波による上記被加熱物の加熱開始時に、上記被加熱物が最小設定量であると想定したときの上記被加熱物から発生する水蒸気に応じた湿度を上記湿度センサにより検出可能となるように、上記給気ダンパの開度を予め設定された最小開度にし、
上記被加熱物の加熱を開始してから上記被加熱物の温度が立ち上がる期間において、上記湿度センサにより検出された湿度の単位時間あたりの湿度変化量が、上記最小設定量の上記被加熱物から発生する水蒸気に応じた単位時間あたりの湿度変化量よりも小さいとき、上記給気ダンパの開度を加熱時間の経過とともに大きくすることを特徴とする加熱調理器。
【請求項２】
請求項１に記載の加熱調理器において、
上記給気ダンパ開度制御部は、上記マイクロ波発生装置からのマイクロ波を上記加熱庫内に供給して上記加熱庫内の被加熱物を加熱するとき、上記被加熱物の量の多少に応じて上記給気ダンパの開度が大小になるように制御することを特徴とする加熱調理器。
【請求項３】
請求項１または２に記載の加熱調理器において、
上記給気ダンパ開度制御部は、上記マイクロ波発生装置からのマイクロ波を上記加熱庫内に供給して上記加熱庫内の上記被加熱物を加熱するとき、上記被加熱物の量および上記被加熱物の種類に基づいて上記給気ダンパの開度を制御することを特徴とする加熱調理器。
【請求項４】
請求項１から３までのいずれか１つに記載の加熱調理器において、
上記マイクロ波発生装置からのマイクロ波を上記加熱庫内に供給して上記加熱庫内の上記被加熱物を加熱するとき、上記冷却ファンの回転数が略一定になるように上記冷却ファンを制御する冷却ファン制御部を備えたことを特徴とする加熱調理器。
【請求項５】
請求項１から４までのいずれか１つに記載の加熱調理器において、
上記給気ダンパ開度制御部が上記給気ダンパの開度を制御するときに用いる上記被加熱物の量を、ユーザーの操作により入力するための入力操作部を備えたことを特徴とする加熱調理器。
【請求項６】
請求項１から４までのいずれか１つに記載の加熱調理器において、
上記加熱庫内の上記被加熱物の重量を検出する重量センサを備え、
上記給気ダンパ開度制御部は、上記重量センサにより検出された上記被加熱物の重量に基づいて上記給気ダンパの開度を制御することを特徴とする加熱調理器。
【発明の詳細な説明】
【技術分野】
【０００１】
この発明は、加熱調理器に関する。
【背景技術】
【０００２】
従来、加熱調理器としては、調理室内の調理物の量が少なくときは冷却ファンの回転速度を落とし、調理物の量が多いときは冷却ファンの回転速度をアップして、排気口から排出される空気の湿度を湿度センサで検出する電子レンジがある(例えば、特開２００３−１８５１４６号公報(特許文献１)参照)。上記加熱調理器では、湿度センサにより検出された調理室から排出される空気の湿度に基づいて、調理物の調理状態を判断して調理工程を制御している。
【０００３】
しかしながら、上記加熱調理器では、冷却ファンの回転速度を落とすと、冷却ファンから本体内の電装品に供給される冷却空気の風量も減ってしまうため、マグネトロンなどの電装品の冷却が十分にできず、電装品の温度上昇により壊れたり劣化したりして、信頼性が低下するという問題がある。
【先行技術文献】
【特許文献】
【０００４】
【特許文献１】特開２００３−１８５１４６号公報
【発明の概要】
【発明が解決しようとする課題】
【０００５】
そこで、この発明の課題は、電装品に対する冷却ファンの冷却能力を低下させることなく、加熱庫内から排出される気体の湿度に基づいて被加熱物の調理状態を正確に検出できる加熱調理器を提供することにある。
【課題を解決するための手段】
【０００６】
上記課題を解決するため、この発明の加熱調理器は、
給気口と排気口が夫々設けられた加熱庫と、
上記加熱庫内にマイクロ波を供給するマイクロ波発生装置と、
上記加熱庫内の上記マイクロ波発生装置を含む電装品を冷却する冷却ファンと、
上記冷却ファンからの空気の一部を上記加熱庫内に上記給気口を介して供給するための給気通路と、
上記給気口を開閉するための給気ダンパと、
上記加熱庫内の気体を上記排気口を介して外部に排出するための排気通路と、
上記排気通路内に配置され、上記排気口から排出される気体の湿度を検出する湿度センサと、
上記マイクロ波発生装置からのマイクロ波を上記加熱庫内に供給して上記加熱庫内の被加熱物を加熱するとき、上記湿度センサにより検出された上記排気口から排出される気体の湿度に基づいて、上記マイクロ波発生装置を制御するマイクロ波制御部と、
上記マイクロ波発生装置からのマイクロ波を上記加熱庫内に供給して上記加熱庫内の被加熱物を加熱するとき、上記被加熱物の量に基づいて上記給気ダンパの開度を制御する給気ダンパ開度制御部と
を備え、
上記給気ダンパ開度制御部は、
上記マイクロ波発生装置からのマイクロ波による上記被加熱物の加熱開始時に、上記被加熱物が最小設定量であると想定したときの上記被加熱物から発生する水蒸気に応じた湿度を上記湿度センサにより検出可能となるように、上記給気ダンパの開度を予め設定された最小開度にし、
上記被加熱物の加熱を開始してから上記被加熱物の温度が立ち上がる期間において、上記湿度センサにより検出された湿度の単位時間あたりの湿度変化量が、上記最小設定量の上記被加熱物から発生する水蒸気に応じた単位時間あたりの湿度変化量よりも小さいとき、上記給気ダンパの開度を加熱時間の経過とともに大きくすることを特徴とする。
【０００７】
上記構成によれば、湿度センサにより検出された排気口から排出される気体の湿度に基づいて、マイクロ波制御部によりマイクロ波発生装置を制御して、マイクロ波発生装置からのマイクロ波を加熱庫内に供給して加熱庫内の被加熱物を加熱するとき、給気通路と給気口を介して加熱庫内に供給された冷却ファンからの空気の一部は、被加熱物から発生する水蒸気が含まれた空気となって排気口と排気通路を介して外部に排出される。そして、排気口から排出される気体の湿度が、排気通路内に配置された湿度センサにより検出される。
また、上記被加熱物の温度が立ち上がる期間において、湿度センサにより検出された湿度の単位時間あたりの湿度変化量が、上記最小設定量の被加熱物から発生する水蒸気に応じた単位時間あたりの湿度変化量よりも小さい場合には、給気ダンパ開度制御部によって給気ダンパの開度を加熱時間の経過とともに大きくするので、被加熱物の量に応じた給気ダンパの開度制御をすることができ、湿度センサにより検出される湿度に基づいて被加熱物の調理状態をより正確に検出できる。
【０００８】
ここで、仮に、冷却ファンからの加熱庫内に供給される空気の風量が一定であるとすると、被加熱物の量の大小によって、発生する水蒸気量が異なるために湿度センサにより検出される湿度が異なり、被加熱物の調理状態を湿度センサにより検出された湿度で正確に判定することができない。
【０００９】
これに対して、上記構成の加熱調理器によれば、被加熱物の量に基づいて給気ダンパ開度制御部が給気ダンパの開度を制御して、例えば、被加熱物の量が少ないときは、給気ダンパの開度を小さくして冷却ファンからの加熱庫内に供給される空気の風量を少なくして、排気口から排出される気体中の単位体積あたりの水蒸気量を上げる一方、被加熱物の量が多いときは、給気ダンパの開度を大きくして冷却ファンからの加熱庫内に供給される空気の風量を多くして、排気口から排出される気体中の単位体積あたりの水蒸気量を下げる。これによって、冷却ファンの回転数を変化させることなく、加熱庫内から排出される気体の湿度に基づいて被加熱物の調理状態を正確に検出できると共に、冷却ファンによる電装品の冷却能力を低下させないようにできる。
【００１０】
また、一実施形態の加熱調理器では、
上記給気ダンパ開度制御部は、上記マイクロ波発生装置からのマイクロ波を上記加熱庫内に供給して上記加熱庫内の被加熱物を加熱するとき、上記被加熱物の量の多少に応じて上記給気ダンパの開度が大小になるように制御する。
【００１１】
上記実施形態によれば、マイクロ波発生装置からのマイクロ波を加熱庫内に供給して加熱庫内の被加熱物を加熱するとき、給気ダンパ開度制御部によって、被加熱物の量の多少に応じて上記給気ダンパの開度が大小になるように制御することによって、加熱庫内から排出される気体の湿度に基づいて被加熱物の調理状態をより正確に検出できる。
【００１２】
また、一実施形態の加熱調理器では、
上記給気ダンパ開度制御部は、上記マイクロ波発生装置からのマイクロ波を上記加熱庫内に供給して上記加熱庫内の上記被加熱物を加熱するとき、上記被加熱物の量および上記被加熱物の種類に基づいて上記給気ダンパの開度を制御する。
【００１３】
上記実施形態によれば、マイクロ波発生装置からのマイクロ波を加熱庫内に供給して加熱庫内の被加熱物を加熱するとき、被加熱物の量だけでなく、被加熱物の種類(例えば液体または固体)によっても被加熱物から発生する水蒸気量は異なるので、給気ダンパ開度制御部により、被加熱物の量および被加熱物の種類に基づいて給気ダンパの開度を制御することによって、加熱庫内から排出される気体の湿度に基づいて被加熱物の調理状態をより正確に検出できる。
【００１４】
また、一実施形態の加熱調理器では、
上記マイクロ波発生装置からのマイクロ波を上記加熱庫内に供給して上記加熱庫内の上記被加熱物を加熱するとき、上記冷却ファンの回転数が略一定になるように上記冷却ファンを制御する冷却ファン制御部を備えた。
【００１５】
上記実施形態によれば、マイクロ波発生装置からのマイクロ波を加熱庫内に供給して加熱庫内の被加熱物を加熱するとき、冷却ファン制御部により、冷却ファンの回転数が略一定になるように冷却ファンを制御するので、給気ダンパの開度制御によって冷却ファンからの加熱庫内に供給される空気の風量を正確に制御でき、加熱庫内から排出される気体の湿度に基づいて被加熱物の調理状態をより正確に検出できる。
【００１６】
また、一実施形態の加熱調理器では、
上記給気ダンパ開度制御部が上記給気ダンパの開度を制御するときに用いる上記被加熱物の量を、ユーザーの操作により入力するための入力操作部を備えた。
【００１７】
上記実施形態によれば、給気ダンパ開度制御部が給気ダンパの開度を制御するときに用いる被加熱物の量を、入力操作部によってユーザーの操作により入力するので、被加熱物の重量を検出するセンサなしに給気ダンパ開度制御部による給気ダンパの開度制御が行え、構成を簡略化できる。
【００１８】
また、一実施形態の加熱調理器では、
上記加熱庫内の上記被加熱物の重量を検出する重量センサを備え、
上記給気ダンパ開度制御部は、上記重量センサにより検出された上記被加熱物の重量に基づいて上記給気ダンパの開度を制御する。
【００１９】
上記実施形態によれば、重量センサにより検出された被加熱物の重量に基づいて、給気ダンパ開度制御部が給気ダンパの開度を制御するので、被加熱物の正確な重量に基づいて給気ダンパの開度制御をより確実に行うことができる。
【００２０】
【００２１】
【発明の効果】
【００２２】
以上より明らかなように、この発明の加熱調理器によれば、冷却ファンによる電装品の冷却能力を低下させることなく、加熱庫内から排出される気体の湿度を正確に検出できる加熱調理器を実現することができる。
【図面の簡単な説明】
【００２３】
【図１】図１はこの発明の実施の一形態の加熱調理器の正面図である。
【図２】図２は上記加熱調理器の把手付きドアを開放した状態の上面図である。
【図３】図３は上記加熱調理器の把手付きドアを開放した状態の正面図である。
【図４】図４は上記加熱調理器の模式断面図である。
【図５】図５は上記加熱調理器のケーシングを取り外した状態の斜視図である。
【図６】図６は上記加熱調理器の制御ブロック図である。
【図７】図７は上記加熱調理器の給気ダンパの開閉動作を説明するための模式図である。
【図８】図８は上記加熱調理器の給気ダンパの開閉動作を説明するための模式図である。
【図９】図９は上記加熱調理器の給気ダンパの開閉動作を説明するための模式図である。
【図１０】図１０は上記加熱調理器の給気ダンパの開閉動作を説明するための模式図である。
【図１１】図１１は上記加熱調理器の給気ダンパの開閉動作を説明するための模式図である。
【図１２】図１２は上記給気ダンパの変形例を説明するための斜視図である。
【図１３】図１３は上記給気ダンパの変形例を説明するための斜視図である。
【発明を実施するための形態】
【００２４】
以下、この発明の加熱調理器を図示の実施の形態により詳細に説明する。
【００２５】
図１はこの発明の実施の一形態の加熱調理器の正面図である。
【００２６】
上記加熱調理器は、本体ケーシング１と、この本体ケーシング１の前面側に取り付けられた把手付きドア２とを備えている。この把手付きドア２の略中央に耐熱ガラス５を取り付けている。また、本体ケーシング１の前面側には、閉鎖時の把手付きドア２と隣り合うように入力操作部の一例としての操作パネル３を設けている。そして、把手付きドア２と操作パネル３の下方には、露受容器４を配置している。
【００２７】
上記操作パネル３は液晶表示部７を有し、この液晶表示部７により操作に応じた表示を行う。また、図示しないが、操作パネル３には、複数の押ボタンなどを設けている。
【００２８】
上記露受容器４は、本体ケーシング１の底部の前側に設けられた２つの前脚６,６に着脱可能な容器である。そして、露受容器４を前方から後方に向かって本体ケーシング１の下側に挿入して前脚６,６に取り付けると、露受容器４の一部が閉鎖時の把手付きドア２の後面(裏面)の下方に位置する。これにより、把手付きドア２を開放したとき、把手付きドア２の後面に付着した結露水が露受容器４内に滴下するようにしている。
【００２９】
図２は、上記加熱調理器の把手付きドア２を開いた状態を上方から見た上面図である。また、図３は、上記加熱調理器の把手付きドア２を開いた状態を正面から見た正面図である。
【００３０】
図２,図３に示す本体ケーシング１内には、被加熱物２３(図４参照)を加熱するための加熱庫８を設置している。加熱庫８は前面側に開口部８ｃに有し、この開口部８ｃは把手付きドア２の左右方向の回動により開閉される。ここで、把手付きドア２は、本体ケーシング１の左側の側端部を中心に回動する。
【００３１】
なお、図３において、８０は、蒸気発生装置１３(図５参照)で発生した蒸気が加熱庫１０８内に向かって吹き出す蒸気吹出口である。
【００３２】
図４は上記加熱調理器の模式断面図である。
【００３３】
上記加熱調理器では、本体ケーシング１外の空気が、冷却ファン１６によって、複数の吸気口１７を介して本体ケーシング１内に吸い込まれる。この複数の吸気口１７を介して本体ケーシング１内に吸い込まれた空気の一部は、給気通路の一例としての電装品室９を通過した後、給気ダンパ５０が開いた状態で給気口８aから加熱庫８に流入する。一方、上記複数の吸気口１７を介して本体ケーシング１内に吸い込まれた空気のうち、給気口８aを介して加熱庫８に流入しなかった空気は、電装品室９を通過した後、本体ケーシング１の底部側に流れて加熱庫８の下側の風通路１１２を介して排気ダクト１００の冷却空気入口１０１に流入する。
【００３４】
また、上記加熱庫８内の空気の一部は、排気口８ｂと、排気チューブ１８を介して排気ダクト１００に排出されて、排気ダクト１００内で冷却空気入口１０１から流入した空気と混合されて希釈される。排気チューブ１８と排気ダクト１００で排気通路を構成している。
【００３５】
この排気ダクト１００内で希釈された空気は、排気ダクト１００に設けられた複数の排出口１０２から、露受容器４の左側端部(把手付きドア２の回動軸に近い側の端部)内に向かって吹き出す。
【００３６】
ここで、上記風通路１１２を流れる空気の一部は、本体ケーシング１の底板の前面側に設けられた複数の冷却風吹出口７０から、露受容器４の左側側端部内に向かって吹き出す。
【００３７】
なお、図４において、２６はヒータである。また、吸気口１７は本体ケーシング１の後部に設けられた複数のスリットで構成されている。
【００３８】
図５は、上記加熱調理器の本体ケーシング１を取り外した状態を後方かつ斜め上方から見た斜視図である。
【００３９】
上記本体ケーシング１内において、加熱庫８の側方かつ操作パネル３の後方に電装品室９を設け、加熱庫８の後方かつ電装品室９の後方に吸気空間１０を設けている。
【００４０】
上記加熱庫８内の上側の空間には、被加熱物２３を加熱するためのヒータ２６を配置している。
【００４１】
一方、上記加熱庫８外においては、加熱庫８の上方、下方、後方および両側方のそれぞれに、遮熱板１１,１１,…を配置している。つまり、遮熱板１１,１１,…は、加熱庫８の開口部８ｃを除く周囲に配置されている。また、遮熱板１１と加熱庫８との間の空間には断熱材(図示せず)を充填している。なお、図５において、加熱庫８の上方の遮熱板の図示は省略している。
【００４２】
また、上記加熱庫８の後面側には、加熱庫８へ供給される蒸気を発生する蒸気発生装置１３を配置している。また、加熱庫８の下側には、蒸気発生装置１３に給水チューブを介して接続された給水ポンプ３５(図６参照)を配置している。
【００４３】
上記電装品室９内には、給水タンク(図示せず)が収納されるタンク収納部１５、マイクロ波発生装置の一例としてのマグネトロン５１、電源トランス５２などが配置されている。そして、被加熱物２３の加熱時には、冷却ファン１６からの冷却風が電装品室９内を流れ、マグネトロン５１などの電装品を冷却できるようにしている。なお、マグネトロン５１や電源トランス５２などの電装品は発熱部品の一例である。
【００４４】
上記マグネトロン５１で発生したマイクロ波は、導波管(図示せず)を介して加熱庫８の下部中央に導かれ、回転アンテナ(図示せず)によって攪拌されながら加熱庫８内の上方に向かって放射されて被加熱物２３を加熱する。
【００４５】
上記冷却ファン１６からの空気の一部は、マグネトロン５１の放熱フィンが設けられた放熱部５１aを通過した後、前面側に配置された給気ダンパ５０によって開閉される給気口８a側に流入する。
【００４６】
上記収納部１５に収納された給水タンク内の水は、給水ポンプ３５によって、給水チューブ(図示せず)を介して蒸気発生装置１３に供給される。蒸気発生装置１３は、給水ポンプ３５からの水を蒸気発生用ヒータ２４で加熱して、水蒸気を発生する。
【００４７】
上記吸気空間１０には、冷却ファン１６の駆動に伴い、本体ケーシング１外の空気が複数の吸気口１７(図４参照)から流れ込む。そして、吸気空間１０内の空気は冷却ファン１６で電装品室９内に送られる。
【００４８】
なお、図５において、２１は、電装品室９と吸気空間１０とを仕切る間仕切壁である。この間仕切壁２１に冷却ファン１６を取り付けている。
【００４９】
図６は上記加熱調理器の制御ブロック図である。
【００５０】
上記加熱調理器は、マイクロコンピュータと入出力回路などからなる制御装置２００を電装品室９(図４,図５参照)内に備えている。この制御装置２００は、ヒータ２６,冷却ファン用モータ３０,給気ダンパ用モータ３１,給気ダンパ用エンコーダ３２,操作パネル３,庫内温度センサ３３,解凍センサ３４,湿度センサ９０,給水ポンプ３５,ドア開閉センサ３６,蒸気発生装置１３およびマグネトロン５１が接続されている。操作パネル３からの信号および給気ダンパ用エンコーダ３２,庫内温度センサ３３,解凍センサ３４,ドア開閉センサ３６,湿度センサ９０からの検出信号に基づいて、制御装置２００は、ヒータ２６,冷却ファン用モータ３０,給気ダンパ用モータ３１,操作パネル３,給水ポンプ３５,蒸気発生装置１３およびマグネトロン５１などを制御する。
【００５１】
上記制御装置２００は、マグネトロン５１を制御するマイクロ波制御部２００aと、給気ダンパ５０の開度を制御する給気ダンパ開度制御部２００bと、冷却ファン１６を制御する冷却ファン制御部２００cとを有する。
【００５２】
また、上記ドア開閉センサ３６は、把手付きドア２の開閉状態を検出するセンサであり、把手付きドア２の開閉状態に応じた検出信号を制御装置２００へ出力する。
【００５３】
図７〜図１１は上記給気ダンパ５０の開閉動作を説明するための模式図である。なお、実際には給気口８aは複数の穴からなるが、説明を判り易くするため、図７〜図１１では給気口８aを一つの貫通穴とみなして図示する。したがって、図７〜図１１における給気口８aの開口面積は、実際の給気口８aの複数の穴の開口面積の合計に相当する。
【００５４】
上記給気ダンパ５０は、図７に示すように、側方から見た形状が略扇形状であり、軸４０を中心に図中矢印方向に揺動可能になっている。給気ダンパ用エンコーダ３２は、給気ダンパ５０の揺動角を検出し、検出した揺動角を示す信号を制御装置２００へ出力する。制御装置２００は、給気ダンパ用エンコーダ３２からの信号に基づいて、給気ダンパ用モータ３１を制御する。これにより、図１１に示すように、給気口８aを給気ダンパ５０で完全に閉鎖して、加熱庫８内への給気を停止させることができるようになっている。また、制御装置２００が給気ダンパ用モータ３１を制御して、図８に示すように、給気口８aの開口面積を全開時(図７の状態時)の約３／４にしたり、図９に示すように、給気口８aの開口面積を全開時の約１／２にしたり、図１０に示すように、給気口８aの開口面積を全開時の約１／４にしたりすることもできるようになっている。このように、制御装置２００は、給気ダンパ５０の揺動角を任意の角度に制御して、給気口８aの開口面積を任意に変更できるようになっている。つまり、複数の吸気口１７を介して本体ケーシング１内に吸い込まれた空気のうち、給気口８aを介して加熱庫８に流入する空気の割合を任意に変更できるようになっている。
【００５５】
以下、マイクロ波を用いたレンジ加熱中の制御装置２００による給気ダンパ５０の開閉制御について説明する。ここで、レンジ加熱とは、ヒータ２６およびマグネトロン５１のうち、マグネトロン５１だけをオンして、被加熱物２３を加熱することである。
【００５６】
まず、レンジ加熱をスタートする前に、液晶表示部７の表示に従ってユーザーが操作パネル３を操作して、レンジ加熱のモードを選択すると共に、加熱庫８内の被加熱物２３の量を入力する。
【００５７】
次に、ユーザーがスタートボタン(図示せず)を押して、マイクロ波制御部２００aによりマグネトロン５１が制御されて、マグネトロン５１からのマイクロ波を加熱庫８内に供給してレンジ加熱がスタートすると、給気ダンパ開度制御部２００bによる給気ダンパ５０の開閉制御もスタートする。このとき、制御装置２００の冷却ファン制御部２００cは冷却ファン１６を略一定の回転数で駆動する。
【００５８】
次に、給気ダンパ開度制御部２００bによって、被加熱物２３の量の多少に応じて給気ダンパ５０の開度が大小になるように制御することによって、冷却ファン１６による電装品の冷却能力を低下させることなく、湿度センサ９０によって検出された加熱庫８内から排出される気体の湿度に基づいて、制御装置２００は、被加熱物２３の調理状態をより正確に検出することができる。
【００５９】
また、被加熱物２３の量だけでなく、被加熱物２３の種類(例えば液体または固体)によっても被加熱物２３から発生する水蒸気量は異なるので、給気ダンパ開度制御部２００bにより、被加熱物２３の量および被加熱物２３の種類に基づいて給気ダンパ５０の開度を制御するようにしてもよい。これによって、加熱庫８内から排出される気体の湿度に基づいて被加熱物２３の調理状態をより正確に検出することができる。
【００６０】
また、冷却ファン制御部２００cにより、冷却ファン１６の回転数が略一定になるように冷却ファン１６を制御するので、給気ダンパ５０の開度制御により冷却ファン１６からの加熱庫８内に供給される空気の風量を正確に制御でき、加熱庫８内から排出される気体の湿度に基づいて被加熱物２３の調理状態をより正確に検出することができる。また、上記開閉制御中、冷却ファン１６が本体ケーシング１内へ吹き出した気体によって、マグネトロン５１や電源トランス５２などの電装品が冷却されるので、電装品の熱破壊を防ぐことができ、電装品の信頼を向上できる。
【００６１】
また、給気ダンパ開度制御部２００bが給気ダンパ５０の開度を制御するときに用いる被加熱物２３の量を、操作パネル３によってユーザーの操作により入力するので、被加熱物２３の重量を検出するセンサなしに給気ダンパ開度制御部２００bによる給気ダンパ５０の開度制御が行うことができ、構成を簡略化できる。
【００６２】
なお、加熱庫８内の被加熱物の重量を検出する重量センサを備えてもよい。この場合、重量センサにより検出された被加熱物の重量に基づいて、給気ダンパ開度制御部２００bが給気ダンパ５０の開度を制御することによって、被加熱物の正確に重量に基づいて給気ダンパ５０の開度制御を確実に行うことが可能になる。
【００６３】
また、給気ダンパ開度制御部２００bは、マグネトロン５１からのマイクロ波による被加熱物の加熱開始時に、被加熱物が最小設定量であると想定したときの被加熱物から発生する水蒸気に応じた湿度を湿度センサ９０により検出可能となるように、給気ダンパ５０の開度を所定最小開度にしてもよい。そうして、マイクロ波による加熱を開始してから被加熱物の温度が立ち上がるまでの期間において、湿度センサ９０により検出された湿度の単位時間あたり湿度変化量が、最小設定量の被加熱物から発生する水蒸気に応じた単位時間あたりの湿度変化量よりも小さい場合には、給気ダンパ開度制御部２００bによって給気ダンパ５０の開度を加熱時間の経過とともに段階的に大きくするので、被加熱物の量に応じた給気ダンパ５０の開度制御をすることができ、湿度センサ９０により検出される湿度に基づいて被加熱物の調理状態をより正確に検出できる。
【００６４】
上記給気ダンパ５０を開いて給気口８aの開度を１００％にした状態は、給気ダンパ５０が給気口８aの全てを覆わず、給気口８aを介して加熱庫８内へ大量の給気を行える状態に相当する。また、給気口８aの開度を０％にした状態は、給気ダンパ５０が給気口８aの全てを覆っており、給気口８aを介して加熱庫８内へ給気を行えない状態に相当する。
【００６５】
次に、制御装置２００が被加熱物２３の加熱調理が終了したと判定すると、給気ダンパ５０を揺動させて、給気口８aを全開にすると、上記開閉制御が終了する。
【００６６】
また、上記電装品室９を流れ、かつ、給気口８aに流れ込まなかった気体は、最終的には、排気口８ｂから排出された排気と混合されるので、その排気の希釈に寄与する。したがって、上記排気の希釈効果を高めることができる。
【００６７】
なお、上記過熱水蒸気を用いた加熱を行う場合は、加熱庫８内の上側のヒータ２６がオンされると共に給水ポンプ３５を駆動し、蒸気発生用ヒータ２４が給水タンクからの水を加熱して、蒸気発生装置１３で発生した水蒸気が加熱庫８内に吹き出し、加熱庫８内でヒータ２６により加熱されて１００℃以上の過熱水蒸気となって、加熱庫８内の上側のヒータ２６からの輻射熱および１００℃以上の過熱水蒸気により被加熱物２３が加熱調理される。
【００６８】
上記実施形態では、図７〜図１１に示す揺動式の給気ダンパ５０で給気口８aを開閉していたが、図１２に示すように、回動式の給気ダンパ２５０で給気口８aを開閉するようにしてもよい。
【００６９】
上記給気ダンパ２５０を使用する場合についてより詳しく説明すると、給気ダンパ２５０は、本体部２５０と、本体部２５０aの上端部に設けられた上フランジ部２５０ｂと、本体部２５０aの下端部に設けられた下フランジ部２５０cを有して、固定軸２６２を中心に図１２中の矢印Ｒの方向に回動可能になっている。また、上フランジ部２５０ｂおよび下フランジ部２５０cのそれぞれの一端部は、回動軸２６２に連結されている。また、下フランジ部２５０cには、直線状の長穴であるカム溝２５０dが設けられている。このカム溝２５０dは、回動軸２６２に対して垂直な方向に延びている。
【００７０】
また、上記給気ダンパ２５０の下方には、ダンパカム２６０を回転させる給気ダンパ用モータ３１が配置される。ダンパカム２６０の回転角は回転角検出スイッチ２６１で検出できるようになっている。また、上記ダンパカム２６０はカム軸２６０aを上端面に有しており、このカム軸２６０aがカム溝２５０d内に挿通されている。
【００７１】
このような給気ダンパ２５０の本体部２５０aが給気口８aの周縁部に密接すると、給気口８aの開度は全閉となる。これにより、冷却ファン１６からの外気は給気口８aを通過できなくなる。つまり、加熱庫８内への給気は行われない。
【００７２】
そして、上記給気ダンパ用モータ３１でダンパカム２６を回転駆動すると、図１３に示すように、カム軸２６０aがカム溝２５０d内を移動し、給気ダンパ２５０が給気口８aから離れる方向に回動する。これにより、給気口８aの開度は全開となり、図１３中の太矢印で示すように、冷却ファン１６からの空気が給気口８aを通過できるようになる。
【００７３】
また、上記給気ダンパ２５０で給気口８aの開度を中間開度にする場合、図１２の給気ダンパ２５０の回動角よりも大きく、かつ、図１３の給気ダンパ２５０の回動角よりも小さくする。これにより、冷却ファン１６の送風量を変更せずに、給気口８aを介した加熱庫８内への給気量を、給気口８aの開度が１００％のときの給気量よりも少なくして、加熱庫８内に適度な給気を行える。ここで、給気口８aの開度を０％にした状態とは、給気口８aを介して加熱庫８内へ給気を行えない状態であって、給気ダンパ２５０の回動角が０°の状態に相当する。また、給気口８aの開度を１００％にした状態とは、給気口８aを介して加熱庫８内へ給気を行える状態であって、給気ダンパ２５０の回動角が５０°の状態に相当する。
【００７４】
上記変形例の給気ダンパ２５０によって、給気ダンパ５０と同様の開閉動作をさせる。
【００７５】
また、上記実施形態では、本体ケーシング１に対して横方向に回動する把手付きドア２で加熱庫８の開口部８ｃを開閉していたが、本体ケーシング１に対して前後方向にスライドする扉で加熱庫８の開口部８ｃを開閉するようにしてもよい。すなわち、本発明の加熱調理器が備える扉は、回動式であってもよいし、スライド式であってもよい。
【００７６】
本発明の加熱調理器としては、例えば、マイクロ波加熱や過熱水蒸気を用いた加熱が可能なオーブンレンジのみならず、マイクロ波加熱が可能で過熱水蒸気を使用しないオーブンレンジ、マイクロ波のみを用いた電子レンジなどがある。
【００７７】
本発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して低酸素状態となることにより、食品の酸化を抑制した調理が可能となる。ここで、低酸素状態とは、加熱庫内において酸素の体積％が１０％以下(例えば０.５〜３％)である状態を指す。
【００７８】
上記実施の形態では、給気ダンパ５０,２５０を備えた加熱調理器について説明したが、給気ダンパはこれに限らず、加熱庫に設けられた給気口を開閉する他の構成の給気ダンパでもよい。
【００７９】
また、上記実施の形態では、排気通路(排気チューブ１８と排気ダクト１００)から本体ケーシング１下側の露受容器４内に排気される加熱調理器について説明したが、排気通路はこれに限らず、加熱庫の上側に設けられた排気口から本体ケーシング上側に排気を案内し、冷却ファンからの空気の一部と混合希釈されて排出されるものであってもよい。
【００８０】
また、この発明の加熱調理器の湿度センサにより検出される湿度は、相対湿度であってもよいし、絶対湿度であってもよい。
【００８１】
この発明の具体的な実施の形態について説明したが、この発明は上記実施の形態に限定されるものではなく、この発明の範囲内で種々変更して実施することができる。
【符号の説明】
【００８２】
１…本体ケーシング
２…把手付きドア
３…操作パネル
４…露受容器
８…加熱庫
８a…給気口
８ｂ…排気口
８ｃ…開口部
９…電装品室
１０…吸気空間
１１,１１…遮熱板
１３…蒸気発生装置
１５…タンク収納部
１６…冷却ファン
１７…吸気口
１８…排気チューブ
２１…間仕切壁
２３…被加熱物
２４…蒸気発生用ヒータ
２６…ヒータ
３０…冷却ファン用モータ
３１…給気ダンパ用モータ
３２…給気ダンパ用エンコーダ
３３…庫内温度センサ
３５…給水ポンプ
３６…ドア開閉センサ
５０,２５０…給気ダンパ
５１…マグネトロン
５２…電源トランス
９０…湿度センサ
１００…排気ダクト
１０１…冷却空気入口
２００…制御装置
２００a…マイクロ波制御部
２００b…給気ダンパ開度制御部
２００c…冷却ファン制御部
【図１】
0005766056.tif 000002
【図２】
0005766056.tif 000003
【図３】
0005766056.tif 000004
【図４】
0005766056.tif 000005
【図５】
0005766056.tif 000006
【図６】
0005766056.tif 000007
【図７】
0005766056.tif 000008
【図８】
0005766056.tif 000009
【図９】
0005766056.tif 000010
【図１０】
0005766056.tif 000011
【図１１】
0005766056.tif 000012
【図１２】
0005766056.tif 000013
【図１３】
0005766056.tif 000014